(57)【特許請求の範囲】
【請求項１】
ユーザにより接触操作されるタッチパネルと、表示手段とを備える表示装置であって、
前記タッチパネル上の任意の位置への前記ユーザによる接触操作開始から接触操作終了までのスライド操作中の単位時間経過毎のスライド量を測定する測定手段と、
前記スライド操作後に前記ユーザによる前記タッチパネルへの接触操作が終了したか否かを判定する判定手段と、
前記判定手段により、接触操作が終了したと判定されると、前記接触操作が終了した時点での前記測定手段によって測定された前記単位時間経過毎のスライド量に基づいてスライド速度を算出し、このスライド速度で前記表示手段に表示中の画像を他の画像に切り替えて表示する制御を行う制御手段と、
を備えることを特徴とする表示装置。
【請求項２】
前記制御手段は更に、前記測定手段により測定されるスライド量に応じて可変し、前記表示手段に表示中の画像を他の画像に切り替えて表示する際の切り替え量を、前記ユーザによるスライド操作中に連続して制御することを特徴とする請求項１に記載の表示装置。
【請求項３】
前記測定手段は、前記タッチパネルへの前記ユーザによる接触操作開始から接触操作終了までのスライド操作中のスライド量を単位時間毎に連続して逐次測定し、
前記制御手段は、前記測定手段により逐次測定されるスライド量に応じて可変し、前記表示手段に表示中の画像を他の画像に切り替えて表示する際の切り替え量を、ユーザによるスライド操作中に連続して制御することを特徴とする請求項２に記載の表示装置。
【請求項４】
前記制御手段は更に、前記測定手段により測定されるスライド操作の加速度に応じて可変し、前記表示手段に表示中の画像を他の画像に切り替えて表示する際の切り替え速度を、ユーザによるスライド操作中に連続して制御することを特徴とする請求項１に記載の表示装置。
【請求項５】
前記測定手段は、前記スライド操作の加速度を連続して逐次測定し、
前記制御手段は、前記測定手段により逐次測定されるスライド操作の加速度に応じて可変し、前記表示手段に表示中の画像を他の画像に切り替えて表示する際の切り替え速度を、ユーザによるスライド操作中に連続して制御することを特徴とする請求項４に記載の表示装置。
【請求項６】
前記画像は動画像におけるフレーム画像であり、
前記制御手段は、タッチパネル上のユーザによるスライド操作のスライド量に基づいて、前記表示手段に表示される画像の切替速度として、動画像の再生速度を制御するとともに、前記ユーザによる前記タッチパネルへの接触操作の終了後、スライド操作中における前記動画像の再生速度を維持するように、前記表示手段に表示中の動画像の再生を制御することを特徴とする請求項２又は３に記載の表示装置。
【請求項７】
ユーザにより接触操作されるタッチパネルと、表示手段とを備える表示装置を用いた表示方法であって、
前記タッチパネル上の任意の位置への前記ユーザによる接触操作開始から接触操作終了までのスライド操作中の単位時間経過毎のスライド量を測定する処理と、
前記スライド操作後に前記ユーザによる前記タッチパネルへの接触操作が終了したか否かを判定する処理と、
前記接触操作が終了したと判定されると、前記接触操作が終了した時点での測定された前記単位時間経過毎のスライド量に基づいてスライド速度を算出し、このスライド速度で前記表示手段に表示中の画像を他の画像に切り替えて表示する制御を行う処理と、
を含むことを特徴とする表示方法。
【発明の詳細な説明】
【技術分野】
【０００１】
本発明は、表示装置、及び表示方法に関する。
【背景技術】
【０００２】
従来、ユーザが動画再生における早送り、巻き戻し、スロー再生といった速度調整を行うことができるように操作子を備える表示装置が知られている。しかしながら、操作子は動画像の表示部とは別に設けられており、表示装置の小型化の妨げになるという問題があった。
そこで、タッチパネル上におけるスライド操作の方向と速度とにより、動画像の再生速度を制御する技術（例えば、特許文献１参照）や、ユーザがタッチパネル上の位置と再生速度の関係を識別可能となるように動画像の表示に半透過で複数の再生速度を表示する技術（例えば、特許文献２参照）が開示されている。
【先行技術文献】
【特許文献】
【０００３】
【特許文献１】特開２００４−１０４５９４号公報
【特許文献２】特開２０１０−１７６５７５号公報
【発明の概要】
【発明が解決しようとする課題】
【０００４】
しかしながら、上記特許文献等の場合、再生速度の種類を増やしたとしても、指定された一定の再生速度での再生が維持されるだけであり、ユーザが思い通りに場面を検索することが難しいという問題がある。
【０００５】
本発明は、このような問題に鑑みてなされたものであり、本発明の課題は、ユーザが所望する画像を容易に表示することができる表示装置、表示方法及びプログラムを提供することである。
【課題を解決するための手段】
【０００６】
上記課題を解決するための本発明の一態様は、ユーザにより接触操作されるタッチパネルと、表示手段とを備える表示装置であって、
前記タッチパネル上の任意の位置への前記ユーザによる接触操作開始から接触操作終了までのスライド操作中の単位時間経過毎のスライド量を測定する測定手段と、
前記スライド操作後に前記ユーザによる前記タッチパネルへの接触操作が終了したか否かを判定する判定手段と、
前記判定手段により、接触操作が終了したと判定されると、前記接触操作が終了した時点での前記測定手段によって測定された前記単位時間経過毎のスライド量に基づいてスライド速度を算出し、このスライド速度で前記表示手段に表示中の画像を他の画像に切り替えて表示する制御を行う制御手段と、
を備えることを特徴としている。
【発明の効果】
【０００７】
本発明によれば、ユーザが所望する画像を容易に表示することができる。
【図面の簡単な説明】
【０００８】
【図１】本発明を適用した実施形態１の撮像装置の概略構成を示すブロック図である。
【図２】図１の撮像装置による再生処理に係る動作の一例を示すフローチャートである。
【図３】図２の再生処理における動画像の送り再生を説明するための図である。
【図４】図２の再生処理における動画像の表示態様の一例を模式的に示す図である。
【図５】本発明を適用した実施形態２の撮像装置の概略構成を示すブロック図である。
【図６】図５の撮像装置の表示部における動画像の表示態様の一例を模式的に示す図である。
【図７】図５の撮像装置の第２表示パネルにおけるフレーム画像の表示態様を説明するための図である。
【図８】本発明を適用した実施形態３の撮像装置の概略構成を示すブロック図である。
【図９】図８の撮像装置による再生処理に係る動作の一例を示すフローチャートである。
【図１０】図９の再生処理における円弧状のスライド操作を説明するための図である。
【図１１】実施形態３の変形例１に係る撮像装置の概略構成を示すブロック図である。
【図１２】画像処理部による復号処理を説明するための図である。
【図１３】図１２の復号処理に係る動作の一例を示すフローチャートである。
【図１４】図１３の復号処理におけるフレーム復号処理に係る動作の一例を示すフローチャートである。
【図１５】図１４のフレーム復号処理における順方向検索処理に係る動作の一例を示すフローチャートである。
【図１６】図１４のフレーム復号処理における逆方向検索処理に係る動作の一例を示すフローチャートである。
【図１７】メモリのリングバッファの格納領域の容量が固定されている場合の画像処理部による復号処理を説明するための図である。
【図１８】メモリのリングバッファの格納領域の容量を可変する場合の画像処理部による復号処理を説明するための図である。
【発明を実施するための形態】
【０００９】
以下に、本発明について、図面を用いて具体的な態様を説明する。ただし、発明の範囲は、図示例に限定されない。
【００１０】
［実施形態１］
図１は、本発明を適用した実施形態１の撮像装置１００の概略構成を示すブロック図である。
図１に示すように、実施形態１の撮像装置１００は、具体的には、中央制御部１と、メモリ２と、撮像部３と、画像処理部４と、表示部５と、操作入力部６と、動作処理部７と、画像記録部８とを備えている。
また、中央制御部１、メモリ２、撮像部３、画像処理部４、表示部５、操作入力部６、動作処理部７及び画像記録部８は、バスライン９を介して接続されている。
【００１１】
中央制御部１は、撮像装置１００の各部を制御するものである。具体的には、中央制御部１は、図示は省略するが、ＣＰＵ（Central Processing Unit）等を備え、撮像装置１００用の各種処理プログラム（図示略）に従って各種の制御動作を行う。
【００１２】
メモリ２は、例えば、ＤＲＡＭ（Dynamic Random Access Memory）等により構成され、中央制御部１、動作処理部７等によって処理されるデータ等を一時的に格納する。
【００１３】
撮像部３は、所定の被写体を任意の撮像フレームレートで撮像してフレーム画像を生成する。具体的には、撮像部３は、レンズ部３ａと、電子撮像部３ｂと、撮像制御部３ｃとを備えている。
【００１４】
レンズ部３ａは、例えば、ズームレンズやフォーカスレンズ等の複数のレンズから構成されている。
電子撮像部３ｂは、例えば、ＣＣＤ（Charge Coupled Device）やＣＭＯＳ（Complementary Metal-Oxide Semiconductor）等のイメージセンサ（撮像素子）から構成されている。そして、電子撮像部３ｂは、レンズ部３ａの各種レンズを通過した光学像を二次元の画像信号に変換する。
【００１５】
撮像制御部３ｃは、撮像部３による被写体の撮像を制御する。
すなわち、撮像制御部３ｃは、図示は省略するが、タイミング発生器、ドライバなどを備えている。そして、撮像制御部３ｃは、タイミング発生器、ドライバにより電子撮像部３ｂを走査駆動して、レンズ部３ａを通過した光学像を電子撮像部３ｂにより所定周期毎に二次元の画像信号に変換させ、当該電子撮像部３ｂの撮像領域から１画面分ずつフレーム画像を読み出して画像処理部４に出力させる。
また、撮像制御部３ｃは、ＡＦ（自動合焦処理）、ＡＥ（自動露出処理）、ＡＷＢ（自動ホワイトバランス）等の被写体を撮像する際の条件の調整制御を行う。
【００１６】
なお、撮像部３は、レンズ部３ａ、電子撮像部３ｂ及び撮像制御部３ｃに加えて、レンズ部３ａを通過する光の量を調整する絞り、ズームレンズを光軸方向に移動させるズーム駆動部、フォーカスレンズを光軸方向に移動させる合焦駆動部等（何れも図示略）を備えていても良い。
【００１７】
画像処理部４は、電子撮像部３ｂから転送されたフレーム画像のアナログ値の信号に対して各種の画像信号処理を施す。具体的には、画像処理部４は、電子撮像部３ｂから転送されたフレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
また、カラープロセス回路から出力される輝度信号Ｙ及び色差信号Ｃｂ，Ｃｒは、図示しないＤＭＡコントローラを介して、バッファメモリとして使用されるメモリ２にＤＭＡ転送される。
【００１８】
表示部５は、表示パネル５ａの表示画面に画像を表示する。
すなわち、表示部５は、画像処理部４により復号された所定サイズの画像データに基づいて、所定の画像を表示パネル５ａの表示画面に表示する。また、表示部５は、後述するように、動作処理部７の第１再生制御部７ｃの制御下にて、任意の撮像フレームレートで撮影された動画像を所定の再生フレームレート（例えば、３０ｆｐｓ）で再生する。
なお、表示パネル５ａは、例えば、液晶表示パネルや有機ＥＬ（Electro-Luminescence）表示パネル等から構成されているが、一例であってこれらに限られるものではない。
【００１９】
操作入力部６は、当該撮像装置１００の所定操作を行うためのものである。具体的には、操作入力部６は、被写体の静止画像の撮像指示や動画像の録画開始指示及び録画終了指示に係るシャッタボタン、撮像モードや再生モードや機能等の選択指示に係る選択決定ボタン、ズーム量の調整指示に係るズームボタン等（何れも図示略）を備えている。
そして、ユーザにより各種ボタンが操作されると、操作入力部６は、操作されたボタンに応じた操作指示を中央制御部１に出力する。中央制御部１は、操作入力部６から出力され入力された操作指示に従って所定の動作（例えば、動画像の再生等）を各部に実行させる。
【００２０】
また、操作入力部６は、表示部５の表示パネル５ａと一体となって設けられたタッチパネル６ａを有している。
タッチパネル６ａは、表示パネル５ａの表示領域をなす表示画面に直接的若しくは間接的に接触するユーザの指（手）やタッチペン等の接触位置を検出する。すなわち、タッチパネル６ａは、例えば、表示パネル５ａの表示画面上或いは当該表示画面よりも内側に設けられ、静電容量方式、抵抗膜方式、超音波表面弾性波方式等の各種方式により、表示画面上における接触位置のＸＹ座標を検出する。
そして、タッチパネル６ａは、接触位置のＸＹ座標に係る位置信号を動作処理部７に出力する。
【００２１】
動作処理部７は、フレームレート取得部７ａと、第１測定部７ｂと、第１再生制御部７ｃとを具備している。
なお、動作処理部７の各部は、例えば、所定のロジック回路から構成されているが、当該構成は一例であってこれに限られるものではない。
【００２２】
フレームレート取得部（取得手段）７ａは、再生される動画像の撮像フレームレートを取得する。
すなわち、フレームレート取得部７ａは、ユーザによる操作入力部６の所定操作に基づいて指定された再生対象となる動画像を画像記録部８から読み出して取得し、当該動画像が撮影された際の撮像フレームレートを取得する。
なお、フレームレート取得部７ａによる撮像フレームレートの取得は、再生対象の動画像の再生前に行われても良いし、再生中に行われても良い。
【００２３】
第１測定部（測定手段）７ｂは、タッチパネル６ａ上のユーザによる接触操作中の操作速度を逐次測定する。
すなわち、第１測定部７ｂは、操作速度として、タッチパネル６ａ上のユーザによるスライド操作における単位時間当たりのスライド量（画素数）を逐次測定する。
具体的には、例えば、表示パネル５ａに動画像が表示されている際に、ユーザによりタッチパネル６ａが接触操作されると、第１測定部７ｂは、タッチパネル６ａから出力された接触位置を原点として、そのＸＹ座標に係る位置信号を取得するとともに、ユーザによりタッチパネル６ａが接触操作された時点の再生時間Ｔtouch（図３参照）を計時部（図示略）から取得する。そして、ユーザによりタッチパネル６ａ上のスライド操作が開始されると、第１測定部７ｂは、タッチパネル６ａから逐次出力された接触位置ＸpositionのＸＹ座標に係る位置信号を取得するとともに計時部からタッチパネル６ａが接触操作された時間を取得していき、単位時間当たりのスライド量（例えば、一秒間に移動した画素数）を操作速度Ｖ（px/s）として算出する。また、第１測定部７ｂは、タッチパネル６ａ上のユーザによるスライド操作の終了後（接触解除後）、最終的にユーザによりタッチパネル６ａが接触操作されていた接触位置を取得する。
なお、ここでは、Ｘ軸方向のスライド操作の速度を測定するようにしているが、Ｙ軸方向のスライド操作の速度を測定するようにしてもよく、この場合接触位置は、Ｙpositionとなる。
【００２４】
また、ユーザによるスライド操作は、タッチパネル６ａ上の任意の位置にて行われるようになっており、第１測定部７ｂは、タッチパネル６ａ上の任意の位置におけるユーザによるスライド操作中の操作速度を逐次測定する。
【００２５】
第１再生制御部７ｃは、表示部５に表示される動画像の再生を制御する。
すなわち、第１再生制御部７ｃは、例えば、ＶＲＡＭ（Video Random Access Memory）、ＶＲＡＭコントローラ、デジタルビデオエンコーダなど（何れも図示略）を備えている。そして、デジタルビデオエンコーダは、画像処理部４により復号されてＶＲＡＭに記録されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示部５の表示パネル５ａに出力する。
また、第１再生制御部（制御手段）７ｃは、フレームレート取得部７ａにより取得された撮像フレームレートと、第１測定部７ｂにより逐次測定された操作速度と、に基づいて、表示部５に表示される動画像の再生を制御する。すなわち、第１再生制御部７ｃは、ユーザによりタッチパネル６ａ上がスライド操作されたときのスライド量に応じて動画像が所定方向（例えば、順方向や逆方向等）に送り再生される時間が一定となるように、当該動画像の送り再生を制御する。具体的には、第１再生制御部７ｃは、ユーザによるタッチパネル６ａ上のスライド量に応じて動画像が送り再生される時間が一定となるように、取得された撮像フレームレートに応じて再生フレームレート及び間引き率のうちの少なくとも一方を変化させる。
ここで、送り再生とは、通常の再生速度に対して高速或いは低速で順方向或いは逆方向に再生することを言い、例えば、早送り、早戻し、スロー送り、スロー戻し等が挙げられる。
【００２６】
例えば、ユーザによるタッチパネル６ａ上のスライド量に対して送り再生される時間の比率をα（例えば、初期値として、α＝１０）とすると、第１再生制御部７ｃは、ユーザによりタッチパネル６ａが接触操作された接触位置Ｘpositionに比率αを乗算した値（α・Ｘposition）と、ユーザによりタッチパネル６ａが接触操作された時点の再生時間Ｔtouchとに基づいて、送り再生される時間（送り再生時間）を逐次算出する（図３参照）。
また、第１再生制御部７ｃは、第１測定部７ｂにより逐次測定された単位時間当たりのスライド量である操作速度Ｖ（px/s）に比率αを乗算して、動画像を送り再生する際の再生速度α・Ｖを算出する（図３参照）。
また、第１再生制御部７ｃは、タッチパネル６ａ上のユーザによるスライド操作の終了後（接触解除後）、このスライド操作が終了した時点の操作速度に応じた再生フレームレートで動画像が再生されるように当該動画像の再生を制御する。例えば、第１再生制御部７ｃは、最終的にユーザによりタッチパネル６ａが接触操作された時点で第１測定部７ｂにより測定された操作速度Ｖ（px/s）に比率αを乗算して、スライド操作の終了後（接触解除後）の動画像の再生速度α・Ｖを算出する（図４参照）。
【００２７】
具体的には、例えば、図４に示すように、予めユーザによるスライド操作の所定の一方向（例えば、右方向）と動画像が送り再生される順方向とを対応付けておく。そして、ユーザがタッチパネル６ａ上を一定の操作速度Ｖ＝５０（px/s）で所定方向（例えば、右方向等）にスライドさせていき、３００px移動させたところで指を離した場合、第１再生制御部７ｃは、再生対象の動画像の撮像フレームレートに拘わらず、順方向に送り再生される時間として３（３００（px）×１０（ms/px））秒を算出し、また、動画像の順方向の再生速度として０．５（１０（ms/px）×５０（px/s）／１０００（ms））倍速を算出する。
つまり、例えば、再生対象の動画像の撮像フレームレートが３０ｆｐｓの場合、第１再生制御部７ｃは、最終的にユーザによりタッチパネル６ａが接触操作された３秒後の時点では、ユーザによりタッチパネル６ａが接触操作された時点Ｔtouchでのフレーム画像に対して９０コマ先のフレーム画像が表示パネル５ａに表示されるように、ユーザによるタッチパネル６ａのスライド操作中における送り再生の再生フレームレートや間引き率を設定する。同様に、再生対象の動画像の撮像フレームレートが２４０ｆｐｓの場合、第１再生制御部７ｃは、最終的にユーザによりタッチパネル６ａが接触操作された３秒後の時点では、ユーザによりタッチパネル６ａが接触操作された時点Ｔtouchでのフレーム画像に対して７２０コマ先のフレーム画像が表示パネル５ａに表示されるように、ユーザによるタッチパネル６ａのスライド操作中における送り再生の再生フレームレートや間引き率を設定する。
なお、再生フレームレートや間引き率の設定は、公知の技術であり、その詳細な説明は省略する。
【００２８】
また、ユーザがタッチパネル６ａ上を所定方向と逆方向（例えば、左方向等）にスライド操作させた場合には、第１再生制御部７ｃは、再生対象の動画像の撮像フレームレートに拘わらず、逆方向に送り再生される時間や動画像の逆方向の再生速度等を算出する。
また、タッチパネル６ａ上のユーザによるスライド操作が終了した時点の操作速度が０の場合、すなわち、ユーザがタッチパネル６ａ上のスライド操作を一旦停止してから指を離した場合、第１再生制御部７ｃは、このスライド操作が終了した時点で表示パネル５ａに表示されている動画像を構成するフレーム画像を表示させたまま当該動画像の再生を一時停止させても良い。
【００２９】
また、第１再生制御部７ｃは、上記のようにして送り再生を行う場合に、フレーム画像に対して所定位置（例えば、上下等）に映画フィルムを模してパーフォレーション（銀塩フィルムの縁に一定間隔で開けられている送り穴）を付加表示させ、動画像の再生速度に応じてパーフォレーションの移動速度を可変させて表示パネル５ａに表示させても良い（図４参照）。
【００３０】
画像記録部８は、例えば、不揮発性メモリ（フラッシュメモリ）等により構成され、画像処理部４の符号化部（図示略）により所定の圧縮形式（例えば、ＪＰＥＧ形式、ＭＰＥＧ形式等）で符号化された静止画像や動画像の記録用の画像データを記録する。なお、画像記録部８に記録されている画像データは、当該撮像装置１００の撮像部３により撮像され記録されたものであっても良いし、外部の撮像装置（図示略）により撮像された後、当該撮像装置１００に転送されて画像記録部８に記録されたものであっても良い。
また、画像記録部８は、例えば、記録媒体（図示略）が着脱自在に構成され、装着された記録媒体からのデータの読み出しや記録媒体に対するデータの書き込みを制御する構成であっても良い。
【００３１】
＜再生処理＞
次に、撮像装置１００による再生処理について、図２〜図４を参照して説明する。
図２は、再生処理に係る動作の一例を示すフローチャートである。また、図３は、再生処理における動画像の送り再生を説明するための図である。また、図４は、再生処理における動画像の表示態様の一例を模式的に示す図である。
なお、以下の再生処理では、ユーザによるタッチパネル６ａ上のスライド量に対して送り再生される時間の比率αが初期値（例えば、α＝１０）に設定されているものとする。
【００３２】
図２に示すように、先ず、画像記録部８に記録されている動画像のうち、ユーザによる操作入力部６の所定操作に基づいて再生対象となる動画像が指定されると、動作処理部７のフレームレート取得部７ａは、指定された動画像を画像記録部８から読み出して当該動画像が撮影された際の撮像フレームレートを取得する（ステップＳ１）。
続けて、第１再生制御部７ｃは、画像処理部４により復号された再生対象の動画像を構成する複数のフレーム画像を表示部５に出力して表示パネル５ａに動画像を表示させる（ステップＳ２）。ここでの動画像の表示は、所定の再生フレームレート（例えば、３０ｆｐｓ等）で再生されるようになっているが、所定のフレーム画像（例えば、最初のフレーム画像等）での一時停止状態であっても良い。
なお、画像処理部４は、例えば、再生対象の動画像を構成する複数のフレーム画像のうち、所定時間分のフレーム画像の復号処理を事前に行って所定の格納手段（例えば、メモリ２等）に格納しておくことで、第１再生制御部７ｃから指示されたフレーム画像を即座に表示パネル５ａに表示可能となっている（図１２等参照；詳細後述）。
【００３３】
次に、第１測定部７ｂは、ユーザによってタッチパネル６ａが接触操作されたか否かを判定する（ステップＳ３）。
ここで、タッチパネル６ａが接触操作されていないと判定されると（ステップＳ３；ＮＯ）、第１測定部７ｂは、タッチパネル６ａが接触操作されたか否かを判定する処理を所定の時間間隔で繰り返し実行する。
【００３４】
ステップＳ３にて、タッチパネル６ａが接触操作されたと判定されると（ステップＳ３；ＹＥＳ）、第１再生制御部７ｃは、ユーザによってタッチパネル６ａが接触操作された時点で表示パネル５ａに表示されているフレーム画像を表示させたまま当該動画像の再生を一時停止させる（ステップＳ４）。続けて、第１測定部７ｂは、タッチパネル６ａから出力された接触位置を原点として、そのＸＹ座標に係る位置信号を取得するとともに、ユーザによりタッチパネル６ａが接触操作された時点の再生時間Ｔtouchを計時部（図示略）から取得する（ステップＳ５）。
【００３５】
次に、第１測定部７ｂは、ユーザによってタッチパネル６ａがスライド操作されたか否かを判定する（ステップＳ６）。
ここで、タッチパネル６ａがスライド操作されていないと判定されると（ステップＳ６；ＮＯ）、第１測定部７ｂは、タッチパネル６ａがスライド操作されたか否かを判定する処理を所定の時間間隔で繰り返し実行する。
【００３６】
ステップＳ６にて、タッチパネル６ａがスライド操作されたと判定されると（ステップＳ６；ＹＥＳ）、第１測定部７ｂは、タッチパネル６ａから逐次出力された接触位置ＸpositionのＸＹ座標に係る位置信号を取得する（ステップＳ７）。そして、第１測定部７ｂは、ユーザによるタッチパネル６ａの接触操作が開始されてから単位時間（例えば、一秒）が経過する毎に、単位時間当たりのスライド量を操作速度Ｖ（px/s）として算出する（ステップＳ８）。
続けて、第１再生制御部７ｃは、タッチパネル６ａから出力された接触位置Ｘpositionに比率αを乗算した値（α・Ｘposition）と、ユーザによりタッチパネル６ａが接触操作された時点の再生時間Ｔtouchとに基づいて、送り再生される時間を逐次算出する（ステップＳ９）。そして、第１再生制御部７ｃは、フレームレート取得部７ａにより取得された撮像フレームレートに基づいて、算出された送り再生される時間に対応するフレーム画像を特定して、表示パネル５ａに表示させる。
このとき、第１再生制御部７ｃは、特定されたフレーム画像が表示パネル５ａに表示されるように、ユーザによるタッチパネル６ａのスライド操作中における送り再生の再生フレームレートや間引き率を設定する。
【００３７】
次に、第１測定部７ｂは、ユーザによるタッチパネル６ａの接触操作が終了したか否かを判定する（ステップＳ１０）。
ここで、タッチパネル６ａの接触操作が終了していないと判定されると（ステップＳ１０；ＮＯ）、第１測定部７ｂは、処理をステップＳ７に戻し、それ以降の各処理を実行する。すなわち、上記したように、ステップＳ７〜Ｓ９の各処理が逐次実行され、ユーザによるタッチパネル６ａ上でのスライド操作に応じた動画像の送り再生が行われる。
【００３８】
ステップＳ１０にて、タッチパネル６ａの接触操作が終了したと判定されると（ステップＳ１０；ＹＥＳ）、第１再生制御部７ｃは、接触操作が終了したと判定された時点（最終的にユーザによりタッチパネル６ａが接触操作されていた時点）で第１測定部７ｂにより測定された操作速度Ｖ（px/s）に比率αを乗算して、接触操作の終了後の動画像の再生速度α・Ｖを算出する（ステップＳ１１）。続けて、第１再生制御部７ｃは、算出された再生速度を維持したまま動画像を再生させる（ステップＳ１２）。
【００３９】
以上のように、実施形態１の撮像装置１００によれば、タッチパネル６ａ上のユーザによる接触操作中の操作速度を逐次測定し、取得された撮像フレームレートと、逐次測定された操作速度と、に基づいて、表示パネル５ａに表示される動画像の再生を制御するので、タッチパネル６ａ上における接触操作（例えば、スライド操作）中に変化しうる操作速度（例えば、スライド速度）を逐次測定し、動画像の表示制御に反映させるため、ユーザが所望する再生速度で動画像を表示することができ、この結果、ユーザが所望する画像を容易に表示することができる。
特に、例えば、撮像フレームレートに応じて再生フレームレート及び間引き率のうちの少なくとも一方を変化させることで、スライド量に応じて動画像が送り再生される時間が一定となるように、当該動画像の送り再生を制御するので、再生対象の動画像の撮像フレームレートに拘わらず、スライド量に応じた一定の時間が送り再生されることとなり、撮像フレームレートの異なる複数の動画像を再生する場合であっても、ユーザが所望する画像を容易に表示することができる。すなわち、動画像を送り再生しながらユーザが所望する画像を検索する場合に、再生対象の動画像の撮像フレームレートに応じて、ユーザによるタッチパネル６ａ上のスライド量を変化させる必要がなく、ユーザが所望する画像を直感的な操作で容易に特定することができる。
【００４０】
また、タッチパネル６ａ上のユーザによるスライド操作の終了後、このスライド操作が終了した時点の操作速度に応じた再生フレームレートで動画像が再生されるように当該動画像の再生を制御するので、動画像を送り再生する際の再生速度と、この送り再生後の動画像の再生速度とを連動させることができ、ユーザが動画像を見ながら直感的な操作で再生速度を変更することができる。特に、スライド操作が終了した時点の操作速度が０の場合には、このスライド操作が終了した時点で表示パネル５ａに表示されている動画像を構成するフレーム画像を表示させたまま当該動画像の再生を一時停止させることで、ユーザが所望する画像の表示を直感的な操作で容易に行うことができる。
【００４１】
また、タッチパネル６ａ上の任意の位置におけるユーザによるスライド操作中の操作速度を逐次測定するので、ユーザによりスライド操作させるために指標等を表示する必要がなく、タッチパネル６ａ上であれば如何なる位置を操作しても良いため、ユーザが所望する画像を検索する際の操作性を向上させることができる。
【００４２】
なお、上記実施形態１では、タッチパネル６ａ上のユーザによる接触操作中の操作速度を逐次測定し、逐次測定された操作速度に基づいて、表示パネル５ａに表示される動画像の再生を制御するようにしたが、一例であってこれに限られるものではない。
例えば、第１測定部７ｂが、タッチパネル６ａ上の任意の位置におけるユーザによるスライド操作の加速度を逐次測定し、第１再生制御部７ｃが、逐次測定されるスライド操作の加速度に応じて可変し、表示パネル５ａに表示中の画像（例えば、静止画像や動画像を構成するフレーム画像等）を他の画像に切り替えて表示する際の切り替え速度を、ユーザによるスライド操作中に連続して制御するようにしても良い。また、このとき、タッチパネル６ａ上のユーザによるスライド操作の終了後、このスライド操作が終了した時点の切り替え速度を維持して、表示パネル５ａに表示中の画像を他の画像に切り替えて表示する制御を行うようにしても良い。
これにより、タッチパネル６ａ上におけるスライド操作中に変化しうるスライド操作の加速度を逐次測定し、表示中の画像を他の画像に切り替えて表示する速度に反映させるため、ユーザが所望する速度で連続した画像の切り替え表示を行うことができ、この結果、ユーザが所望する画像を容易に表示することができる。
【００４３】
［実施形態２］
以下に、実施形態２の撮像装置２００について、図５〜図７を参照して説明する。
図５は、本発明を適用した実施形態２の撮像装置２００の概略構成を示すブロック図である。また、図６は、撮像装置２００の表示部２０５における動画像の表示態様の一例を模式的に示す図である。また、図７は、後述する第２表示パネル２０５ｂにおけるフレーム画像の表示態様を説明するための図である。
【００４４】
実施形態２の撮像装置２００では、再生対象の動画像と、この動画像を構成する複数のフレーム画像とを独立して表示し、タッチパネル２０６ａにおける複数のフレーム画像の表示に対応する部分にてユーザによるスライド操作が行われるようになっている（図５参照）。
なお、以下に説明する以外の点は、上記実施形態１の撮像装置１００と略同様の構成及び機能をなし、その具体的な説明は省略する。
【００４５】
図５に示すように、表示部２０５は、再生対象の動画像を表示する第１表示パネル２０５ａと、この動画像を構成するフレーム画像を複数並べて表示する所定方向に長尺（例えば、横長）な第２表示パネル２０５ｂとを具備している。
また、操作入力部２０６は、第２表示パネル２０５ｂと一体となって設けられたタッチパネル２０６ａを有している。
【００４６】
動作処理部２０７は、フレームレート取得部７ａと、第２測定部２０７ｂと、第２再生制御部２０７ｃとを具備している。
【００４７】
第２再生制御部２０７ｃは、動画像を第１表示パネル２０５ａに表示させ、この動画像を構成する複数のフレーム画像を第２表示パネル２０５ｂに表示させるように、それぞれの表示を独立して制御する。具体的には、第２再生制御部２０７ｃは、例えば、動画像を構成する複数のフレーム画像について、その幅Ｘfilmごとにその位置における再生時間の複数のフレーム画像を第２表示パネル２０５ｂの表示領域内にサムネイル表示させる（図６参照）。つまり、第２再生制御部２０７ｃは、第１表示パネル２０５ａに表示されている動画像の所定の時点でのフレーム画像と同じフレーム画像をサムネイル画像として第２表示パネル２０５ｂの所定位置（例えば、中央）に表示させるとともに、動画像が順方向に送り再生された場合のサムネイル画像と、動画像が逆方向に送り再生された場合のサムネイル画像とを代表画像として第２表示パネル２０５ｂに表示させる。
なお、第２再生制御部２０７ｃは、複数のフレーム画像の表示に対応付けて送り再生される時間を第２表示パネル２０５ｂの所定位置に表示しても良い。例えば、動画像が順方向に送り再生される場合、タッチパネル２０６ａが接触操作された時点の再生時間Ｔtouchに、スライド量に対して送り再生される時間の比率αにフレーム画像の幅Ｘfilmの定数倍を乗算した値を加算することで各フレーム画像に対応する送り再生される時間（例えば、Ｔtouch＋αＸfilm、Ｔtouch＋２αＸfilm等）が算出される。一方、動画像が逆方向に送り再生される場合、タッチパネル２０６ａが接触操作された時点の再生時間Ｔtouchから、スライド量に対して送り再生される時間の比率αにフレーム画像の幅Ｘfilmの定数倍を乗算した値を減算することで各フレーム画像に対応する送り再生される時間（例えば、Ｔtouch−αＸfilm、Ｔtouch−２αＸfilm等）が算出される。
【００４８】
また、実施形態２の撮像装置２００は、スライド量に対して送り再生される時間の比率αを調整可能となっている。
すなわち、第２測定部２０７ｂは、タッチパネル２０６ａにおける複数のフレーム画像の表示に対応する部分でのユーザによるスライド操作とは異なる接触操作の操作量を測定する。そして、第２再生制御部２０７ｃは、第２測定部２０７ｂにより測定されたスライド操作とは異なる接触操作の操作量に応じて可変する時間間隔に対応するフレーム画像を第２表示パネル２０５ｂに複数並べて表示させる。
具体的には、例えば、複数のフレーム画像を表示する第２表示パネル２０５ｂと一体となって設けられているタッチパネル２０６ａ上でユーザによってピンチ操作が行われると、第２測定部２０７ｂは、タッチパネル６ａから出力されたそれぞれの接触位置のＸＹ座標に係る位置信号を取得するとともに、ピンチ操作の間隔を算出する。第２再生制御部２０７ｃは、ピンチ操作の操作量に応じてスライド量に対して送り再生される時間の比率αを可変して、対応する複数のフレーム画像を第２表示パネル２０５ｂの表示領域内にサムネイル表示させる（図７参照）。
【００４９】
例えば、タッチパネル２０６ａ上でユーザによってピンチ操作が行われていない状態では、第２再生制御部２０７ｃは、スライド量に対して送り再生される時間の比率α＝βとして、上記と同様に、対応する複数のフレーム画像を第２表示パネル２０５ｂの表示領域内にサムネイル表示させる。なお、各フレーム画像に対応する送り再生される時間は、例えば、Ｔtouch＋βＸfilm、Ｔtouch＋２βＸfilm、Ｔtouch−βＸfilm、Ｔtouch−２βＸfilm等となる。
この状態から、タッチパネル２０６ａ上でフレーム画像の幅Ｘfilm分のピンチイン操作が行われると、第２再生制御部２０７ｃは、スライド量に対して送り再生される時間の比率αをα＝２βとし、送り再生される時間として、Ｔtouch＋２βＸfilm、Ｔtouch＋４βＸfilm、Ｔtouch−２βＸfilm、Ｔtouch−４βＸfilm等に対応するフレーム画像を第２表示パネル２０５ｂの表示領域内にサムネイル表示させる。反対に、この状態から、タッチパネル２０６ａ上でフレーム画像の幅Ｘfilm分のピンチアウト操作が行われると、第２再生制御部２０７ｃは、スライド量に対して送り再生される時間の比率αをα＝βとし、上記と同様に、対応する複数のフレーム画像を第２表示パネル２０５ｂの表示領域内にサムネイル表示させる。
【００５０】
なお、上記実施形態２にあっては、再生対象の動画像を表示する第１表示パネル２０５ａと、複数のフレーム画像を表示する第２表示パネル２０５ｂとを個別に設けるようにしたが、例えば、図示は省略するが、一の表示パネルの表示領域を動画像を表示する領域と複数のフレーム画像を表示する領域とに区分し、第２再生制御部２０７ｃは、それぞれの表示を独立して制御するようにしても良い。
【００５１】
以上のように、実施形態２の撮像装置２００によれば、上記実施形態１と同様に、タッチパネル２０６ａ上における接触操作（例えば、スライド操作）中に変化しうる操作速度（例えば、スライド速度）を逐次測定し、動画像の表示制御に反映させるため、ユーザが所望する再生速度で動画像を表示することができ、この結果、ユーザが所望する画像を容易に表示することができる。特に、再生対象の動画像の表示と、この動画像を構成するフレーム画像を複数並べたフレーム画像の表示とを独立して行い、タッチパネル２０６ａのフレーム画像の表示に対応する部分におけるユーザによるスライド操作中の操作速度を逐次測定することで、ユーザのスライド量に応じて送り再生されるフレーム画像を代表画像として例示することができ、代表画像を見ながら直感的な操作で送り再生を行うことができる。また、スライド操作とは異なる接触操作（例えば、ピンチ操作）の操作量に応じて可変する時間間隔に対応するフレーム画像を複数並べて表示させるので、スライド量に対して送り再生される時間を可変して、ユーザが所望する画像の表示をより容易に行うことができる。
【００５２】
なお、上記実施形態２では、スライド量に対して送り再生される時間の比率αを、タッチパネル２０６ａ上でユーザによってピンチ操作が行われた場合に調整するようにしたが、一例であってこれに限られるものではなく、例えば、タッチパネル２０６ａに接触するユーザの指の数に応じて調整しても良い。具体的には、例えば、タッチパネル２０６ａに接触するユーザの指の数が１本の場合に比率α＝βとし、２本の場合に比率α＝２βとするようにしても良い。
【００５３】
［実施形態３］
以下に、実施形態３の撮像装置３００について、図８〜図１０を参照して説明する。
図８は、本発明を適用した実施形態３の撮像装置３００の概略構成を示すブロック図である。
【００５４】
実施形態３の撮像装置３００では、タッチパネル６ａ上でユーザによって円弧状のスライド操作が行われ、このスライド操作中の操作速度に基づいて動画像の再生を制御する。
なお、以下に説明する以外の点は、上記実施形態１の撮像装置１００と略同様の構成及び機能をなし、その具体的な説明は省略する。
【００５５】
図８に示すように、動作処理部３０７は、フレームレート取得部７ａと、第３測定部３０７ｂと、第３再生制御部３０７ｃとを具備している。
【００５６】
第３測定部３０７ｂは、タッチパネル６ａ上のユーザによる円弧状のスライド操作中の操作速度を逐次測定する。
ここで、円弧状のスライド操作とは、一回転未満、すなわち、円形を形成しない操作であっても良いし、一回転以上の回動操作であっても良い。
具体的には、例えば、ユーザによりタッチパネル６ａが接触操作されると、表示部５の表示パネル５ａに円形状の指標Ｉ（図１０参照）が表示される。この指標Ｉは、ユーザの接触位置から所定の距離ｄ離れた点が極座標の原点となる。そして、ユーザが指標Ｉを所定方向（例えば、右周り方向等）に回転させるようにスライド操作させると、第３測定部３０７ｂは、タッチパネル６ａから出力された接触位置のＸＹ座標に係る位置信号を逐次取得する。そして、第３測定部３０７ｂは、逐次取得された接触位置を極座標系に配置し、単位時間当たりの回転角度θposition（例えば、一秒間に移動した画素数）を操作速度ω（px/s）として算出する。また、第３測定部３０７ｂは、タッチパネル６ａ上のユーザによる円弧状のスライド操作の終了後、最終的にユーザによりタッチパネル６ａが接触操作されていた接触位置を取得する。
【００５７】
なお、円形状の指標Ｉは、ユーザがタッチパネル６ａに接触操作している期間だけ表示されるようになっているが、一例であってこれに限られるものではなく、適宜任意に変更可能である。また、ユーザによるタッチパネル６ａの接触操作は、図１０に示すようなシングルタッチであっても良いし、２箇所以上を同時に接触操作するマルチタッチ（図示略）であっても良い。例えば、親指と人差し指の二本でマルチタッチする場合、第３測定部３０７ｂは、親指の接触位置を極座標の原点とし、人差し指の接触位置を変化させるように回転させる際の回転角度θpositionを測定するようにしても良い。
【００５８】
第３再生制御部３０７ｃは、例えば、ユーザによるタッチパネル６ａ上のスライド量に対して送り再生される時間の比率をα（例えば、初期値として、α＝１０）とすると、第３測定部３０７ｂに算出された回転角度θpositionに比率αを乗算した値（α・θposition）と、ユーザによりタッチパネル６ａが接触操作された時点の再生時間Ｔtouchとに基づいて、送り再生される時間（送り再生時間）を逐次算出する。また、第３再生制御部３０７ｃは、第３測定部３０７ｂにより逐次測定された単位時間当たりの回転角度θpositionである操作速度ω（px/s）に比率αを乗算して、動画像を送り再生する際の再生速度α・ωを算出する。
また、第３再生制御部３０７ｃは、タッチパネル６ａ上のユーザによる円弧状のスライド操作の終了後（接触解除後）、このスライド操作が終了した時点の操作速度に応じた再生フレームレートで動画像が再生されるように当該動画像の再生を制御する。例えば、第３再生制御部３０７ｃは、最終的にユーザによりタッチパネル６ａが接触操作された時点で第３測定部３０７ｂにより測定された操作速度ω（px/s）に比率αを乗算して、円弧状のスライド操作の終了後（接触解除後）の動画像の再生速度α・ωを算出する。
【００５９】
＜再生処理＞
次に、撮像装置３００による再生処理について、図９及び図１０を参照して説明する。
図９は、再生処理に係る動作の一例を示すフローチャートである。また、図１０は、再生処理における円弧状のスライド操作を説明するための図である。
なお、以下の再生処理では、ユーザによるタッチパネル６ａ上の円弧状のスライド量に対して送り再生される時間の比率αが初期値（例えば、α＝１０）に設定されているものとする。また、ユーザによる円弧状のスライド操作の回転方向（例えば、右周り方向）と動画像が送り再生される順方向とが対応付けられているものとする。
【００６０】
図９に示すように、先ず、画像記録部８に記録されている動画像のうち、ユーザによる操作入力部６の所定操作に基づいて再生対象となる動画像が指定されると、動作処理部３０７のフレームレート取得部７ａは、上記実施形態１の再生処理と略同様に、指定された動画像を画像記録部８から読み出して当該動画像が撮影された際の撮像フレームレートを取得する（ステップＳ３１）。
続けて、第３再生制御部３０７ｃは、上記実施形態１の再生処理と略同様に、画像処理部４により復号された再生対象の動画像を構成する複数のフレーム画像を表示部５に出力して表示パネル５ａに動画像を表示させる（ステップＳ３２）。
【００６１】
次に、第３測定部３０７ｂは、上記実施形態１の再生処理と略同様に、ユーザによってタッチパネル６ａが接触操作されたか否かを判定する（ステップＳ３３）。
ここで、タッチパネル６ａが接触操作されていないと判定されると（ステップＳ３３；ＮＯ）、第３測定部３０７ｂは、タッチパネル６ａが接触操作されたか否かを判定する処理を所定の時間間隔で繰り返し実行する。
【００６２】
ステップＳ３３にて、タッチパネル６ａが接触操作されたと判定されると（ステップＳ３３；ＹＥＳ）、第３再生制御部３０７ｃは、ユーザによってタッチパネル６ａが接触操作された時点で表示パネル５ａに表示されているフレーム画像を表示させたまま当該動画像の再生を一時停止させる（ステップＳ３４）。続けて、第３測定部３０７ｂは、タッチパネル６ａから出力された接触位置から所定の距離ｄ離れた点を原点として、ユーザによりタッチパネル６ａが接触操作された時点の再生時間Ｔtouchを計時部（図示略）から取得する（ステップＳ３５）。このとき、表示部５の表示パネル５ａに円形状の指標Ｉ（図９参照）が表示される。
【００６３】
次に、第３測定部３０７ｂは、例えば、円形状の指標Ｉを回転させるようにユーザによってタッチパネル６ａの円弧状のスライド操作が行われたか否かを判定する（ステップＳ３６）。
ここで、タッチパネル６ａの円弧状のスライド操作が行われていないと判定されると（ステップＳ３６；ＮＯ）、第３測定部３０７ｂは、タッチパネル６ａの円弧状のスライド操作が行われたか否かを判定する処理を所定の時間間隔で繰り返し実行する。
【００６４】
ステップＳ３６にて、タッチパネル６ａの円弧状のスライド操作が行われたと判定されると（ステップＳ３６；ＹＥＳ）、第３測定部３０７ｂは、タッチパネル６ａから逐次出力された接触位置のＸＹ座標に係る位置信号を取得して、回転角度θpositionを算出する（ステップＳ３７）。そして、第３測定部３０７ｂは、ユーザによるタッチパネル６ａの円弧状のスライド操作が開始されてから単位時間（例えば、一秒）が経過する毎に、単位時間当たりの回転角度θpositionを操作速度ω（px/s）として算出する（ステップＳ３８）。
続けて、第３再生制御部３０７ｃは、第３測定部３０７ｂに算出された回転角度θpositionに比率αを乗算した値（α・θposition）と、ユーザによりタッチパネル６ａが接触操作された時点の再生時間Ｔtouchとに基づいて、送り再生される時間を逐次算出する（ステップＳ３９）。そして、第３再生制御部３０７ｃは、上記実施形態１の再生処理と略同様に、フレームレート取得部７ａにより取得された撮像フレームレートに基づいて、算出された送り再生される時間に対応するフレーム画像を特定して、表示パネル５ａに表示させる。
【００６５】
次に、第３測定部３０７ｂは、上記実施形態１の再生処理と略同様に、ユーザによるタッチパネル６ａの接触操作が終了したか否かを判定する（ステップＳ４０）。
ここで、タッチパネル６ａの接触操作が終了していないと判定されると（ステップＳ４０；ＮＯ）、第３測定部３０７ｂは、処理をステップＳ３７に戻し、それ以降の各処理を実行する。すなわち、上記したように、ステップＳ３７〜Ｓ３９の各処理が逐次実行され、ユーザによるタッチパネル６ａの円弧状のスライド操作中に動画像の送り再生が行われる。
【００６６】
ステップＳ３９にて、タッチパネル６ａの接触操作が終了したと判定されると（ステップＳ４０；ＹＥＳ）、第３再生制御部３０７ｃは、上記実施形態１の再生処理と略同様に、接触操作が終了したと判定された時点で第３測定部３０７ｂにより測定された操作速度ω（px/s）に比率αを乗算して、接触操作の終了後の動画像の再生速度α・ωを算出する（ステップＳ４１）。続けて、第３再生制御部３０７ｃは、上記実施形態１の再生処理と略同様に、算出された再生速度を維持したまま動画像を再生させる（ステップＳ４２）。
【００６７】
以上のように、実施形態３の撮像装置３００によれば、上記実施形態１と同様に、タッチパネル６ａ上における接触操作（例えば、スライド操作）中に変化しうる操作速度（例えば、スライド速度）を逐次測定し、動画像の表示制御に反映させるため、ユーザが所望する再生速度で動画像を表示することができ、この結果、ユーザが所望する画像を容易に表示することができる。特に、タッチパネル６ａ上のユーザによる円弧状のスライド操作中の操作速度を逐次測定するので、縦横方向の大きさが制限されているタッチパネル６ａであっても円弧状にスライド操作することで当該スライド操作の操作量が制限されることがなくなり、相対的に長い時間の送り再生のためにスライド操作量が多くなる場合であっても、接触操作を解除することなく連続して行うことができる。
【００６８】
＜変形例１＞
以下に、実施形態３の変形例１に係る撮像装置３００Ａについて図１１を参照して説明する。
図１１は、変形例１に係る撮像装置３００Ａの概略構成を示すブロック図である。
なお、以下に説明する以外の点は、上記実施形態３の撮像装置３００と略同様の構成及び機能をなし、その具体的な説明は省略する。
【００６９】
図１１に示すように、動作処理部３０７は、フレームレート取得部７ａと、第３測定部３０７ｂと、第３再生制御部３０７ｃとに加えて、操作判別部３０７ｄを具備している。
【００７０】
操作判別部（判別手段）３０７ｄは、タッチパネル６ａ上のユーザによるスライド操作の種類が、直線状のスライド操作であるか、円弧状のスライド操作であるかを判別する。
すなわち、ユーザによるタッチパネル６ａのスライド操作が開始されると、操作判別部３０７ｄは、タッチパネル６ａから逐次出力された接触位置のＸＹ座標に係る位置信号を逐次取得する。そして、操作判別部３０７ｄは、接触位置の単位時間当たりのＸ方向及びＹ方向の変位量を算出し、算出されたＸ方向及びＹ方向の変位量に基づいて、ユーザによるスライド操作の種類が、直線状のスライド操作であるか、円弧状のスライド操作であるかを判別する。例えば、ユーザによるスライド操作が縦方向や横方向に直線状のスライド操作の場合、Ｘ方向及びＹ方向のうち、何れか一方は変位量が小さくなり、他方が大きくなる。また、操作判別部３０７ｄは、Ｘ方向及びＹ方向の変位量の比率が所定の閾値以上となった場合に、ユーザによるスライド操作の円弧状のスライド操作であると判別する。
【００７１】
そして、操作判別部３０７ｄにより円弧状のスライド操作であると判別された場合は、第３再生制御部３０７ｃは、スライド操作の軌跡から円の中心を特定し、特定された円の中心を識別可能となるように表示パネル５ａに表示させる制御を行う。
なお、第３再生制御部３０７ｃは、ユーザによるスライド操作の種類に応じて、動画像の再生の制御内容を変更しても良い。例えば、直線状のスライド操作に対して円弧状のスライド操作の方がスライド量に対して送り再生される時間の比率αを大きくするか或いは小さくすることで、ユーザが所望する画像を検索する際に、ユーザが二つのスライド操作を切り替えつつ送り再生することができ、操作性の向上を図ることができる。
【００７２】
このように、変形例１の撮像装置３００Ａによれば、タッチパネル６ａ上のユーザによるスライド操作の種類が、直線状のスライド操作であるか、円弧状のスライド操作であるかを判別して、円弧状のスライド操作であると判別された場合は、スライド操作の軌跡から特定される円の中心を識別可能に表示するので、ユーザがタッチパネル６ａ上を円弧状にスライド操作する際の操作性をより向上させることができる。
【００７３】
なお、本発明は、上記実施形態１〜３に限定されることなく、本発明の趣旨を逸脱しない範囲において、種々の改良並びに設計の変更を行っても良い。
以下に、再生対象の動画像を構成する複数のフレーム画像の復号処理について、図１２〜図１８を参照して説明する。
【００７４】
上記実施形態１〜３並びに変形例１の撮像装置１００、２００、３００、３００Ａにあっては、画像処理部４は、復号手段として、再生される動画像を構成する複数のフレーム画像のうち、所定時間分のフレーム画像の復号処理を事前に行っても良い。そして、メモリ２は、格納手段として、画像処理部４により復号された所定時間分のフレーム画像を一時的に格納する。
【００７５】
すなわち、画像処理部４は、動作処理部７により画像記録部８から読み出された再生対象となる動画像の複数のフレーム画像に対して、当該動画像の符号化方式（例えば、ＭＰＥＧ符号化方式等）に応じた復号処理を行う。具体的には、画像処理部４は、動画像を構成する複数のフレーム画像のうち、動作処理部７の第１再生制御部７ｃ等により現在再生中のフレーム画像の位置を基準として、現在の再生方向と同方向及び反対方向の各々に、所定時間分のフレーム画像の復号処理を行う。
【００７６】
また、画像処理部４は、動画像の現在の再生方向が順方向であるか、或いは、反対方向であるかに応じて、現在の再生方向と同方向及び反対方向の各々に行う所定時間分のフレーム画像の復号処理の順番を特定して、当該復号処理を行う。ここで、画像処理部４は、例えば、ＭＰＥＧ符号化方式で符号化されている動画像を構成する複数のフレーム画像の場合、一の「Ｉピクチャ」に連なる「Ｐピクチャ」を全て含む連続した複数のフレーム画像からなるＧＯＰ（Group Of Picture）単位で、所定時間分のフレーム画像の復号処理の順番を特定しても良い。
【００７７】
具体的には、画像処理部４は、現在再生中のフレーム画像が含まれるＧＯＰに対して、動画像の再生方向と同方向側及び反対方向側にそれぞれ所定数（例えば、２つ等）のＧＯＰを復号処理の対象として特定する。また、画像処理部４は、動画像の現在の再生方向と同方向側のＧＯＰを反対方向側のＧＯＰに対して優先して復号するように、復号処理の順番を特定する。
なお、画像処理部４により復号処理される所定時間分のフレーム画像の総フレーム数は、例えば、メモリ２の格納領域の容量に応じて適宜任意に変更可能である。すなわち、メモリ２は、復号されたフレーム画像を一時的に格納するリングバッファを有し、このリングバッファの格納領域の容量に応じて復号処理の量が変化する。
【００７８】
ここで、図１２（ａ）及び図１２（ｂ）を参照して、復号処理の一例について詳細に説明する。
図１２（ａ）及び図１２（ｂ）は、画像処理部４による復号処理を説明するための図であり、このうち、図１２（ａ）は、順方向に送り再生する場合に対応し、図１２（ｂ）は、逆方向に送り再生する場合に対応している。また、図１２（ａ）及び図１２（ｂ）中、「Ｉ」は、「Ｉピクチャ」を表し、「Ｐ」は、「Ｐピクチャ」を表している。また、白抜きの矢印は復号処理の方向を表し、当該矢印中の数字は復号処理の順番を表している。
【００７９】
例えば、動画像を順方向に送り再生する場合（図１２（ａ）参照）、画像処理部４は、先ず、再生対象の動画像を構成する複数のフレーム画像のうち、現在再生中のフレーム画像（図中、ドットが付された「Ｐピクチャ」）が含まれるＧＯＰを構成する複数のフレーム画像を「Ｉピクチャ」から時間軸に沿って順に復号する（「１」の矢印）。そして、画像処理部４は、現在再生中のフレーム画像が含まれるＧＯＰ、すなわち、前回復号されたＧＯＰと時間軸で後ろ側に隣り合うＧＯＰを処理対象として、当該ＧＯＰを構成する複数のフレーム画像を時間軸に沿って順に復号する（「２」の矢印）。次に、画像処理部４は、前回復号されたＧＯＰと時間軸で後ろ側に隣り合うＧＯＰを処理対象として、当該ＧＯＰを構成する複数のフレーム画像を時間軸に沿って順に復号する（「３」の矢印）。
その後、画像処理部４は、現在再生中のフレーム画像が含まれるＧＯＰと時間軸で前側に隣り合うＧＯＰを処理対象として、当該ＧＯＰを構成する複数のフレーム画像を時間軸に沿って順に復号する（「４」の矢印）。次に、画像処理部４は、前回復号されたＧＯＰと時間軸で前側に隣り合うＧＯＰを処理対象として、当該ＧＯＰを構成する複数のフレーム画像を時間軸に沿って順に復号する（「５」の矢印）。
【００８０】
一方、動画像を逆方向に送り再生する場合（図１２（ｂ）参照）、画像処理部４は、先ず、上記した動画像を順方向に送り再生する場合と同様に、再生対象の動画像を構成する複数のフレーム画像のうち、現在再生中のフレーム画像が含まれるＧＯＰを構成する複数のフレーム画像を「Ｉピクチャ」から時間軸に沿って順に復号する（「１」の矢印）。そして、画像処理部４は、現在再生中のフレーム画像が含まれるＧＯＰ、すなわち、前回復号されたＧＯＰと時間軸で前側に隣り合うＧＯＰを処理対象として、当該ＧＯＰを構成する複数のフレーム画像を時間軸に沿って順に復号する（「２」の矢印）。次に、画像処理部４は、前回復号されたＧＯＰと時間軸で前側に隣り合うＧＯＰを処理対象として、当該ＧＯＰを構成する複数のフレーム画像を時間軸に沿って順に復号する（「３」の矢印）。
その後、画像処理部４は、現在再生中のフレーム画像が含まれるＧＯＰと時間軸で後ろ側に隣り合うＧＯＰを処理対象として、当該ＧＯＰを構成する複数のフレーム画像を時間軸に沿って順に復号する（「４」の矢印）。次に、画像処理部４は、前回復号されたＧＯＰと時間軸で後ろ側に隣り合うＧＯＰを処理対象として、当該ＧＯＰを構成する複数のフレーム画像を時間軸に沿って順に復号する（「５」の矢印）。
【００８１】
なお、図１２（ａ）及び図１２（ｂ）に例示した動画像を構成するＧＯＰの内容は、一例であってこれに限られるものではなく、例えば、「Ｐピクチャ」の数は適宜任意に変更可能であり、また、「Ｂピクチャ」を含んで構成されていても良い。
【００８２】
＜復号処理＞
次に、図１３〜図１６を参照して、画像処理部４による復号処理について説明する。
図１３は、画像処理部４による復号処理に係る動作の一例を示すフローチャートである。
【００８３】
以下に説明する復号処理は、撮像装置１００（２００、３００、３００Ａ）による再生処理にて、再生される動画像を構成する複数のフレーム画像のうち、少なくとも表示対象のフレーム画像が表示部５に表示される前に行われる処理である。
なお、以下の説明では、実施形態１の撮像装置１００による復号処理を代表して説明する。
【００８４】
図１３に示すように、先ず、画像処理部４は、動画像を構成する複数のフレーム画像のうち、動作処理部７の第１再生制御部７ｃにより表示対象のフレーム画像の変更が指示されたか否かを判定する（ステップＳ５１）。
ここで、表示対象のフレーム画像の変更が指示されたと判定されると（ステップＳ５１；ＹＥＳ）、画像処理部４は、メモリ２に対してリングバッファの格納領域の中心位置を更新させる指示を出力し、メモリ２は、リングバッファの格納領域の中で、表示対象のフレーム画像が含まれるＧＯＰを構成する復号済みの複数のフレーム画像が中心位置に格納されるように更新する（ステップＳ５２）。
一方、表示対象のフレーム画像の変更が指示されていないと判定された場合（ステップＳ５１；ＮＯ）、画像処理部４及びメモリ２は、ステップＳ５２の処理をスキップする。
【００８５】
次に、動作処理部７の第１再生制御部７ｃは、表示対象のフレーム画像を表示部５に表示させる表示タイミングであるか否かを判定する（ステップＳ５３）。この判定処理は、表示部５の再生フレームレートに応じた所定の周期毎に行われる。
ここで、表示対象のフレーム画像を表示部５に表示させる表示タイミングであると判定されると（ステップＳ５３；ＹＥＳ）、第１再生制御部７ｃは、表示フラグを「ＯＮ」に設定する（ステップＳ５４）。
一方、表示対象のフレーム画像を表示部５に表示させる表示タイミングでないと判定されると（ステップＳ５３；ＮＯ）、第１再生制御部７ｃは、ステップＳ５４の処理をスキップする。
【００８６】
次に、画像処理部４は、表示フラグが「ＯＮ」に設定されているか否かを判定する（ステップＳ５５）。
ここで、表示フラグが「ＯＮ」に設定されていると判定されると（ステップＳ５５；ＹＥＳ）、画像処理部４は、表示対象のフレーム画像を復号済みであるか否かを判定する（ステップＳ５６）。
【００８７】
ステップＳ５６にて、表示対象のフレーム画像を復号済みであると判定されると（ステップＳ５６；ＹＥＳ）、画像処理部４は、表示対象のフレーム画像の表示指示を動作処理部７に出力し（ステップＳ５７）、第１再生制御部７ｃは、表示部５にフレーム画像を表示させた後、表示フラグを「ＯＦＦ」に設定する（ステップＳ５８）。
その後、第１再生制御部７ｃは、表示部５に表示される動画像の再生が終了したか否かを判定する（ステップＳ５９）。
【００８８】
一方、ステップＳ５５にて、表示フラグが「ＯＮ」に設定されていないと判定されると（ステップＳ５５；ＮＯ）、画像処理部４は、フレーム画像を復号するフレーム復号処理（図１４参照；後述）を行う（ステップＳ６０）。
また、ステップＳ５６にて、表示対象のフレーム画像を復号済みでないと判定された場合（ステップＳ５６；ＮＯ）にも、画像処理部４は、処理をステップＳ６０に移行し、フレーム復号処理を行う（ステップＳ６０）。
このステップＳ６０のフレーム復号処理の後、第１再生制御部７ｃは、処理をステップＳ５９に移行し、動画像の再生が終了したか否かを判定する（ステップＳ５９）。
【００８９】
ステップＳ５９にて、動画像の再生が終了していないと判定されると（ステップＳ５９；ＮＯ）、ステップＳ５１に戻り、それ以降の各処理を実行する。一方、動画像の再生が終了したと判定されると（ステップＳ５９；ＹＥＳ）、当該復号処理を終了する。
【００９０】
＜フレーム復号処理＞
以下に、復号処理におけるフレーム復号処理について、図１４を参照して詳細に説明する。
図１４は、フレーム復号処理に係る動作の一例を示すフローチャートである。
【００９１】
図１４に示すように、先ず、画像処理部４は、メモリ２のリングバッファの格納領域に格納可能な所定時間分のフレーム画像を復号済みであるか否かを判定する（ステップＳ６１）。
ここで、所定時間分のフレーム画像を復号済みでないと判定されると（ステップＳ６１；ＮＯ）、画像処理部４は、表示対象のフレーム画像が含まれるＧＯＰを構成する復号済みの複数のフレーム画像をメモリ２のリングバッファの格納領域に格納済みであるか否かを判定する（ステップＳ６２）。
【００９２】
ステップＳ６２にて、復号済みの複数のフレーム画像をメモリ２のリングバッファの格納領域に格納済みでないと判定されると（ステップＳ６２；ＮＯ）、画像処理部４は、表示対象のフレーム画像が含まれるＧＯＰを復号対象として設定し（ステップＳ６３）、復号フラグを「ＯＮ」に設定する（ステップＳ６４）。
【００９３】
その後、画像処理部４は、復号フラグが「ＯＮ」に設定されているか否かを判定する（ステップＳ６５）。
ここで、復号フラグが「ＯＮ」に設定されていると判定されると（ステップＳ６５；ＹＥＳ）、画像処理部４は、前回復号されたフレーム画像は、復号対象として設定されているＧＯＰに含まれるか否かを判定する（ステップＳ６６）。
【００９４】
ステップＳ６６にて、前回復号されたフレーム画像は、復号対象として設定されているＧＯＰに含まれないと判定されると（ステップＳ６６；ＮＯ）、画像処理部４は、復号対象のＧＯＰを構成する複数のフレーム画像については何れも復号されていないため、当該ＧＯＰ内の「Ｉピクチャ」を指定して、当該「Ｉピクチャ」に対応するフレーム画像の復号を行う（ステップＳ６７）。その後、画像処理部４は、復号されたフレーム画像をメモリ２に出力して、リングバッファの格納領域に格納させた後、復号フラグを「ＯＦＦ」に設定し（ステップＳ６８）、処理をステップＳ６１に戻す。
【００９５】
一方、ステップＳ６６にて、前回復号されたフレーム画像は、復号対象として設定されているＧＯＰに含まれると判定されると（ステップＳ６６；ＹＥＳ）、画像処理部４は、復号対象のＧＯＰを構成する複数のフレーム画像の中で、次のフレーム画像（例えば、「Ｐピクチャ」等）を指定して、当該フレーム画像の復号を行う（ステップＳ６９）。その後、画像処理部４は、処理をステップＳ６８に移行し、復号されたフレーム画像をメモリ２に出力して、リングバッファの格納領域に格納させた後、復号フラグを「ＯＦＦ」に設定し（ステップＳ６８）、処理をステップＳ６１に戻す。
【００９６】
一方、ステップＳ６２にて、復号済みの複数のフレーム画像をメモリ２のリングバッファの格納領域に格納済みであると判定されると（ステップＳ６２；ＹＥＳ）、画像処理部４は、第１再生制御部７ｃによる動画像の再生方向は順方向であるか否かを判定する（ステップＳ７０）。
【００９７】
ステップＳ７０にて、動画像の再生方向は順方向であると判定されると（ステップＳ７０；ＹＥＳ）、画像処理部４は、次の復号対象となるＧＯＰを順方向に検索する順方向検索処理（図１５参照；後述）を行う（ステップＳ７１）。
一方、動画像の再生方向は順方向でないと判定されると（ステップＳ７０；ＮＯ）、画像処理部４は、次の復号対象となるＧＯＰを逆方向に検索する順方向検索処理（図１６参照；後述）を行う（ステップＳ７２）。
【００９８】
＜順方向検索処理＞
以下に、フレーム復号処理における順方向検索処理について、図１５を参照して詳細に説明する。
図１５は、順方向検索処理に係る動作の一例を示すフローチャートである。
【００９９】
図１５に示すように、先ず、画像処理部４は、再生される動画像について、当該動画像の再生方向と同方向である順方向（時間軸で後ろ側）に未復号のＧＯＰを検索し（ステップＳ８１）、未復号のＧＯＰがあるか否かを判定する（ステップＳ８２）。
ここで、未復号のＧＯＰがあると判定されると（ステップＳ８２；ＹＥＳ）、画像処理部４は、メモリ２のリングバッファの格納領域に順方向のＧＯＰに対応し、当該ＧＯＰを構成する復号済みの複数のフレーム画像を格納するための空き領域があるか否かを判定する（ステップＳ８３）。
なお、メモリ２のリングバッファの格納領域の空き領域は、例えば、リングバッファの格納領域の中で、表示対象のフレーム画像が含まれるＧＯＰを構成する復号済みの複数のフレーム画像が格納される中心位置が更新されることで形成される。
【０１００】
ステップＳ８３にて、リングバッファの格納領域に順方向のＧＯＰに対応する空き領域があると判定されると（ステップＳ８３；ＹＥＳ）、画像処理部は、検索された未復号のＧＯＰを復号対象として設定し（ステップＳ８４）、復号フラグを「ＯＮ」に設定する（ステップＳ８５）。
これにより、画像処理部４は、当該順方向検索処理を終了する。
【０１０１】
一方、ステップＳ８２にて、未復号のＧＯＰがないと判定されると（ステップＳ８２；ＮＯ）、画像処理部４は、再生される動画像について、当該動画像の再生方向と反対方向である逆方向（時間軸で前側）に未復号のＧＯＰを検索する（ステップＳ８６）。また、ステップＳ８３にて、リングバッファの格納領域に順方向のＧＯＰに対応する空き領域がないと判定された場合（ステップＳ８３；ＮＯ）にも、画像処理部４は、処理をステップＳ８６に移行し、再生される動画像について、逆方向に未復号のＧＯＰを検索する。
そして、画像処理部４は、逆方向に未復号のＧＯＰがあるか否かを判定する（ステップＳ８７）。
【０１０２】
ステップＳ８７にて、未復号のＧＯＰがあると判定されると（ステップＳ８７；ＹＥＳ）、画像処理部４は、メモリ２のリングバッファの格納領域に逆方向のＧＯＰに対応する空き領域があるか否かを判定する（ステップＳ８８）。
【０１０３】
ステップＳ８８にて、リングバッファの格納領域に逆方向のＧＯＰに対応する空き領域があると判定されると（ステップＳ８８；ＹＥＳ）、画像処理部は、処理をステップＳ８４に移行し、検索された未復号のＧＯＰを復号対象として設定する（ステップＳ８４）。その後、画像処理部４は、復号フラグを「ＯＮ」に設定して（ステップＳ８５）、当該順方向検索処理を終了する。
【０１０４】
一方、ステップＳ８７にて、未復号のＧＯＰがないと判定されると（ステップＳ８７；ＮＯ）、画像処理部４は、当該順方向検索処理を終了する。また、ステップＳ８８にて、リングバッファの格納領域に逆方向のＧＯＰに対応する空き領域がないと判定された場合（ステップＳ８８；ＮＯ）にも、画像処理部４は、当該順方向検索処理を終了する。
【０１０５】
＜逆方向検索処理＞
以下に、フレーム復号処理における逆方向検索処理について、図１６を参照して詳細に説明する。
図１６は、逆方向検索処理に係る動作の一例を示すフローチャートである。
【０１０６】
図１６に示すように、先ず、画像処理部４は、再生される動画像について、当該動画像の再生方向と同方向である逆方向（時間軸で前側）に未復号のＧＯＰを検索し（ステップＳ９１）、未復号のＧＯＰがあるか否かを判定する（ステップＳ９２）。
ここで、未復号のＧＯＰがあると判定されると（ステップＳ９２；ＹＥＳ）、画像処理部４は、メモリ２のリングバッファの格納領域に逆方向のＧＯＰに対応し、当該ＧＯＰを構成する復号済みの複数のフレーム画像を格納するための空き領域があるか否かを判定する（ステップＳ９３）。
【０１０７】
ステップＳ９３にて、リングバッファの格納領域に逆方向のＧＯＰに対応する空き領域があると判定されると（ステップＳ９３；ＹＥＳ）、画像処理部は、検索された未復号のＧＯＰを復号対象として設定し（ステップＳ９４）、復号フラグを「ＯＮ」に設定する（ステップＳ９５）。
これにより、画像処理部４は、当該逆方向検索処理を終了する。
【０１０８】
一方、ステップＳ９２にて、未復号のＧＯＰがないと判定されると（ステップＳ９２；ＮＯ）、画像処理部４は、再生される動画像について、当該動画像の再生方向と反対方向である順方向（時間軸で後ろ側）に未復号のＧＯＰを検索する（ステップＳ９６）。また、ステップＳ９３にて、リングバッファの格納領域に逆方向のＧＯＰに対応する空き領域がないと判定された場合（ステップＳ９３；ＮＯ）にも、画像処理部４は、処理をステップＳ９６に移行し、再生される動画像について、順方向に未復号のＧＯＰを検索する。
そして、画像処理部４は、順方向に未復号のＧＯＰがあるか否かを判定する（ステップＳ９７）。
【０１０９】
ステップＳ９７にて、未復号のＧＯＰがあると判定されると（ステップＳ９７；ＹＥＳ）、画像処理部４は、メモリ２のリングバッファの格納領域に順方向のＧＯＰに対応する空き領域があるか否かを判定する（ステップＳ９８）。
【０１１０】
ステップＳ９８にて、リングバッファの格納領域に順方向のＧＯＰに対応する空き領域があると判定されると（ステップＳ９８；ＹＥＳ）、画像処理部は、処理をステップＳ９４に移行し、検索された未復号のＧＯＰを復号対象として設定する（ステップＳ９４）。その後、画像処理部４は、復号フラグを「ＯＮ」に設定して（ステップＳ９５）、当該逆方向検索処理を終了する。
【０１１１】
一方、ステップＳ９７にて、未復号のＧＯＰがないと判定されると（ステップＳ９７；ＮＯ）、画像処理部４は、当該逆方向検索処理を終了する。また、ステップＳ９８にて、リングバッファの格納領域に順方向のＧＯＰに対応する空き領域がないと判定された場合（ステップＳ９８；ＮＯ）にも、画像処理部４は、当該逆方向検索処理を終了する。
【０１１２】
図１４に戻り、ステップＳ６５にて、画像処理部４は、復号フラグが「ＯＮ」に設定されているか否かを判定する（ステップＳ６５）。
そして、ステップＳ６５にて、復号フラグが「ＯＮ」に設定されていると判定されると（ステップＳ６５；ＹＥＳ）、画像処理部４は、ステップＳ６６〜Ｓ６９の各処理により、順方向検索処理或いは逆方向検索処理にて検索されて復号対象となったＧＯＰ内のフレーム画像の復号を行い、復号フラグを「ＯＦＦ」に設定した後（ステップＳ６８）、処理をステップＳ６１に戻す。
【０１１３】
上記の各処理は、ステップＳ６１にて、メモリ２のリングバッファの格納領域に格納可能な所定時間分のフレーム画像を復号済みであると判定（ステップＳ６１；ＹＥＳ）されるまで、繰り返し実行される。
ステップＳ６１にて、所定時間分のフレーム画像を復号済みであると判定されると（ステップＳ６１；ＹＥＳ）、画像処理部４は、当該フレーム復号処理を終了する。
また、ステップＳ６５にて、復号フラグが「ＯＮ」に設定されていないと判定された場合（ステップＳ６５；ＮＯ）にも、画像処理部４は、当該フレーム復号処理を終了する。
【０１１４】
従って、再生される動画像を構成する複数のフレーム画像のうち、所定時間分のフレーム画像の復号処理を事前に行って、復号された所定時間分のフレーム画像を格納しておくことで、第１再生制御部７ｃから指示されたフレーム画像を即座に表示パネル５ａに表示可能となり、ユーザが所望する再生速度で動画像を表示することができる。
特に、動画像を構成する複数のフレーム画像のうち、現在再生中のフレーム画像の位置を基準として、現在の再生方向と同方向及び反対方向の各々に、所定時間分のフレーム画像の復号処理を事前に行うので、現在の再生方向と同方向だけでなく、反対方向のフレーム画像についても事前に復号しておくことができ、例えば、ユーザが動画像の再生方向を反対方向に切り替えた場合であっても、第１再生制御部７ｃから指示されたフレーム画像を即座に表示パネル５ａに表示可能となる。
【０１１５】
また、動画像の現在の再生方向に応じて、現在の再生方向と同方向及び反対方向の各々に行う所定時間分のフレーム画像の復号処理の順番を特定して、当該復号処理を事前に行うので、動画像を構成する複数のフレーム画像の復号を当該動画像の現在の再生方向を考慮して適正に行うことができる。すなわち、例えば、動画像の現在の再生方向と同方向側のフレーム画像を反対方向側のフレーム画像に対して優先して復号しておくことで、動画像を送り再生しながらユーザが所望する画像を検索する場合に、送り再生の再生方向と同方向側のフレーム画像については相対的に長い時間の送り再生に対しても対応することができ、第１再生制御部７ｃから指示されたフレーム画像を即座に表示パネル５ａに表示可能となる。
【０１１６】
なお、上記した復号処理にあっては、画像処理部４は、動作処理部７の第１再生制御部７ｃにより再生される動画像の現在の再生速度に応じて、現在の再生方向と同方向及び反対方向の各々に行う所定時間分のフレーム画像の復号処理の順番を特定して、当該復号処理を事前に行っても良い。
すなわち、例えば、動画像の現在の再生速度が所定速度（例えば、通常の再生速度等）の場合、画像処理部４は、現在再生中のフレーム画像が含まれるＧＯＰに対して、動画像の再生方向と同方向側及び反対方向側にそれぞれ所定数（例えば、２つ等）のＧＯＰを復号処理の対象として特定する。そして、動画像の再生速度が高速になるほど、画像処理部４は、現在の再生方向と同方向側のＧＯＰを反対方向側のＧＯＰに対して優先して復号するように、復号処理の順番を特定する。
【０１１７】
次に、メモリ２のリングバッファの格納領域の容量が固定されている場合における、画像処理部４による所定時間分のフレーム画像の復号処理の順番について説明する。
以下の説明では、メモリ２のリングバッファの格納領域の容量は、動画像を構成するＧＯＰを単位として５つ分に相当するものとする。
【０１１８】
図１７（ａ）及び図１７（ｂ）は、メモリ２のリングバッファの格納領域の容量が固定されている場合の画像処理部４による復号処理を説明するための図であり、このうち、図１７（ａ）は、順方向に送り再生する場合に対応し、図１７（ｂ）は、逆方向に送り再生する場合に対応している。
なお、図１７（ａ）及び図１７（ｂ）中の各カラムは、動画像を構成するＧＯＰを模式的に表し、現在再生中のフレーム画像が含まれるＧＯＰにドットを付している。また、各カラム内の数字は、復号処理の順番を表している。
【０１１９】
例えば、動画像を順方向に送り再生する場合（図１７（ａ）参照）、動画像の現在の再生速度が所定速度（例えば、通常の再生速度等）では、画像処理部４は、現在再生中のフレーム画像が含まれるＧＯＰ「１」（図中、ドットが付されたＧＯＰ）、ＧＯＰ「１」と時間軸で後ろ側に隣り合うＧＯＰ「２」、ＧＯＰ「２」と時間軸で後ろ側に隣り合うＧＯＰ「３」、現在再生中のフレーム画像が含まれるＧＯＰ「１」と時間軸で前側に隣り合うＧＯＰ「４」、ＧＯＰ「４」と時間軸で前側に隣り合うＧＯＰ「５」の順番で復号処理を行う。
そして、例えば、動画像の再生速度が所定速度よりも高速になると、画像処理部４は、現在再生中のフレーム画像が含まれるＧＯＰ「１」、ＧＯＰ「１」と時間軸で後ろ側に隣り合うＧＯＰ「２」、ＧＯＰ「２」と時間軸で後ろ側に隣り合うＧＯＰ「３」、ＧＯＰ「３」と時間軸で後ろ側に隣り合うＧＯＰ「４」、現在再生中のフレーム画像が含まれるＧＯＰ「１」と時間軸で前側に隣り合うＧＯＰ「５」の順番で復号処理を行う。
さらに、例えば、動画像の再生速度が上記よりもさらに高速になると、画像処理部４は、現在再生中のフレーム画像が含まれるＧＯＰ「１」、ＧＯＰ「１」と時間軸で後ろ側に隣り合うＧＯＰ「２」、ＧＯＰ「２」と時間軸で後ろ側に隣り合うＧＯＰ「３」、ＧＯＰ「３」と時間軸で後ろ側に隣り合うＧＯＰ「４」、ＧＯＰ「４」と時間軸で後ろ側に隣り合うＧＯＰ「５」の順番で復号処理を行う。
【０１２０】
一方、動画像を逆方向に送り再生する場合（図１７（ｂ）参照）、動画像の現在の再生速度が所定速度（例えば、通常の再生速度等）では、画像処理部４は、現在再生中のフレーム画像が含まれるＧＯＰ「１」、ＧＯＰ「１」と時間軸で前側に隣り合うＧＯＰ「２」、ＧＯＰ「２」と時間軸で前側に隣り合うＧＯＰ「３」、現在再生中のフレーム画像が含まれるＧＯＰ「１」と時間軸で後ろ側に隣り合うＧＯＰ「４」、ＧＯＰ「４」と時間軸で後ろ側に隣り合うＧＯＰ「５」の順番で復号処理を行う。
そして、例えば、動画像の再生速度が所定速度よりも高速になると、画像処理部４は、現在再生中のフレーム画像が含まれるＧＯＰ「１」、ＧＯＰ「１」と時間軸で前側に隣り合うＧＯＰ「２」、ＧＯＰ「２」と時間軸で前側に隣り合うＧＯＰ「３」、ＧＯＰ「３」と時間軸で前側に隣り合うＧＯＰ「４」、現在再生中のフレーム画像が含まれるＧＯＰ「１」と時間軸で後ろ側に隣り合うＧＯＰ「５」の順番で復号処理を行う。
さらに、例えば、動画像の再生速度が上記よりもさらに高速になると、画像処理部４は、現在再生中のフレーム画像が含まれるＧＯＰ「１」、ＧＯＰ「１」と時間軸で前側に隣り合うＧＯＰ「２」、ＧＯＰ「２」と時間軸で前側に隣り合うＧＯＰ「３」、ＧＯＰ「３」と時間軸で前側に隣り合うＧＯＰ「４」、ＧＯＰ「４」と時間軸で前側に隣り合うＧＯＰ「５」の順番で復号処理を行う。
【０１２１】
次に、上記において、動画像の再生速度に応じて、メモリ２のリングバッファの格納領域の容量を可変して容量を増大させる場合について説明する。
以下の説明では、メモリ２のリングバッファの格納領域の容量は、動画像の現在の再生速度が所定速度（例えば、通常の再生速度等）の場合、動画像を構成するＧＯＰを単位として５つ分に相当し、動画像の再生速度が高速になるほどＧＯＰ単位で１つ分ずつ増えて行くものとする。
【０１２２】
図１８（ａ）及び図１８（ｂ）は、メモリ２のリングバッファの格納領域の容量を可変する場合の画像処理部４による復号処理を説明するための図であり、このうち、図１８（ａ）は、順方向に送り再生する場合に対応し、図１８（ｂ）は、逆方向に送り再生する場合に対応している。なお、図１８（ａ）及び図１８（ｂ）中の各カラムは、動画像を構成するＧＯＰを模式的に表し、現在再生中のフレーム画像が含まれるＧＯＰにドットを付している。また、各カラム内の数字は、復号処理の順番を表している。
【０１２３】
例えば、動画像を順方向に送り再生する場合（図１８（ａ）参照）、動画像の現在の再生速度が所定速度（例えば、通常の再生速度等）では、画像処理部４は、上記したメモリ２のリングバッファの格納領域の容量が固定されている場合と同様に、現在再生中のフレーム画像が含まれるＧＯＰ「１」（図中、ドットが付されたＧＯＰ）、ＧＯＰ「１」と時間軸で後ろ側に隣り合うＧＯＰ「２」、ＧＯＰ「２」と時間軸で後ろ側に隣り合うＧＯＰ「３」、現在再生中のフレーム画像が含まれるＧＯＰ「１」と時間軸で前側に隣り合うＧＯＰ「４」、ＧＯＰ「４」と時間軸で前側に隣り合うＧＯＰ「５」の順番で復号処理を行う。
そして、例えば、動画像の再生速度が所定速度よりも高速になると、メモリ２のリングバッファの格納領域の容量をＧＯＰ単位で１つ分増大して、画像処理部４は、現在再生中のフレーム画像が含まれるＧＯＰ「１」、ＧＯＰ「１」と時間軸で後ろ側に隣り合うＧＯＰ「２」、ＧＯＰ「２」と時間軸で後ろ側に隣り合うＧＯＰ「３」、ＧＯＰ「３」と時間軸で後ろ側に隣り合うＧＯＰ「４」、現在再生中のフレーム画像が含まれるＧＯＰ「１」と時間軸で前側に隣り合うＧＯＰ「５」、ＧＯＰ「５」と時間軸で前側に隣り合うＧＯＰ「６」の順番で復号処理を行う。
さらに、例えば、動画像の再生速度が上記よりもさらに高速になると、メモリ２のリングバッファの格納領域の容量をＧＯＰ単位でさらに１つ分増大して、画像処理部４は、現在再生中のフレーム画像が含まれるＧＯＰ「１」、ＧＯＰ「１」と時間軸で後ろ側に隣り合うＧＯＰ「２」、ＧＯＰ「２」と時間軸で後ろ側に隣り合うＧＯＰ「３」、ＧＯＰ「３」と時間軸で後ろ側に隣り合うＧＯＰ「４」、ＧＯＰ「４」と時間軸で後ろ側に隣り合うＧＯＰ「５」、現在再生中のフレーム画像が含まれるＧＯＰ「１」と時間軸で前側に隣り合うＧＯＰ「６」、ＧＯＰ「６」と時間軸で前側に隣り合うＧＯＰ「７」の順番で復号処理を行う。
【０１２４】
一方、動画像を逆方向に送り再生する場合（図１８（ｂ）参照）、動画像の現在の再生速度が所定速度（例えば、通常の再生速度等）では、画像処理部４は、上記したメモリ２のリングバッファの格納領域の容量が固定されている場合と同様に、現在再生中のフレーム画像が含まれるＧＯＰ「１」、ＧＯＰ「１」と時間軸で前側に隣り合うＧＯＰ「２」、ＧＯＰ「２」と時間軸で前側に隣り合うＧＯＰ「３」、現在再生中のフレーム画像が含まれるＧＯＰ「１」と時間軸で後ろ側に隣り合うＧＯＰ「４」、ＧＯＰ「４」と時間軸で後ろ側に隣り合うＧＯＰ「５」の順番で復号処理を行う。
そして、例えば、動画像の再生速度が所定速度よりも高速になると、メモリ２のリングバッファの格納領域の容量をＧＯＰ単位で１つ分増大して、画像処理部４は、現在再生中のフレーム画像が含まれるＧＯＰ「１」、ＧＯＰ「１」と時間軸で前側に隣り合うＧＯＰ「２」、ＧＯＰ「２」と時間軸で前側に隣り合うＧＯＰ「３」、ＧＯＰ「３」と時間軸で前側に隣り合うＧＯＰ「４」、現在再生中のフレーム画像が含まれるＧＯＰ「１」と時間軸で後ろ側に隣り合うＧＯＰ「５」、ＧＯＰ「５」と時間軸で後ろ側に隣り合うＧＯＰ「６」の順番で復号処理を行う。
さらに、例えば、動画像の再生速度が上記よりもさらに高速になると、メモリ２のリングバッファの格納領域の容量をＧＯＰ単位でさらに１つ分増大して、画像処理部４は、現在再生中のフレーム画像が含まれるＧＯＰ「１」、ＧＯＰ「１」と時間軸で前側に隣り合うＧＯＰ「２」、ＧＯＰ「２」と時間軸で前側に隣り合うＧＯＰ「３」、ＧＯＰ「３」と時間軸で前側に隣り合うＧＯＰ「４」、ＧＯＰ「４」と時間軸で前側に隣り合うＧＯＰ「５」、現在再生中のフレーム画像が含まれるＧＯＰ「１」と時間軸で後ろ側に隣り合うＧＯＰ「６」、ＧＯＰ「６」と時間軸で後ろ側に隣り合うＧＯＰ「７」の順番で復号処理を行う。
【０１２５】
このように、動画像の現在の再生速度に応じて、現在の再生方向と同方向及び反対方向の各々に行う所定時間分のフレーム画像の復号処理の順番を特定して、当該復号処理を事前に行うので、動画像を構成する複数のフレーム画像の復号を当該動画像の現在の再生速度を考慮して適正に行うことができる。すなわち、例えば、動画像の現在の再生速度が高速になるほど、動画像の現在の再生方向と同方向側のフレーム画像を反対方向側のフレーム画像に対して優先して復号しておくことで、動画像を送り再生しながらユーザが所望する画像を検索する場合に、送り再生の再生方向と同方向側のフレーム画像については相対的に高速の送り再生に対しても対応することができ、第１再生制御部７ｃから指示されたフレーム画像を即座に表示パネル５ａに表示可能となり、ユーザが所望する再生速度で動画像を表示することができる。
【０１２６】
なお、上記においては、動画像の現在の再生速度に応じて、当該現在の再生方向と同方向側及び反対方向側の各々のフレーム画像、或いは、ＧＯＰの復号処理にかける時間を特定して、当該復号処理を事前に行っても良い。
【０１２７】
また、図１７（ａ）及び図１７（ｂ）並びに図１８（ａ）及び図１８（ｂ）に例示した所定時間分のフレーム画像の復号処理の順番は、一例であってこれに限られるものではなく、適宜任意に変更可能である。例えば、動画像の再生速度に応じて、メモリ２のリングバッファの格納領域の容量を可変して容量を増大させる場合には、現在再生中のフレーム画像が含まれるＧＯＰ「１」と再生方向が反対側となるＧＯＰについては、メモリ２のリングバッファの格納領域の容量が固定されている場合のように、優先度を低下させても良い。
【０１２８】
なお、上記実施形態１〜３に例示した、ユーザによりスライド操作される方向と、動画像の再生方向との対応関係は、一例であってこれに限られるものではなく、適宜任意に変更可能である。
また、例えば、ユーザによりスライド操作される方向が上下方向の場合には、フレーム画像に対して付加されるパーフォレーションの位置を左右にしても良い。
【０１２９】
また、上記実施形態１〜３にあっては、タッチパネル６ａ（２０６ａ）上のユーザによる接触操作中の操作速度を逐次測定し、逐次測定された操作速度に基づいて、表示パネル５ａに表示される動画像の再生を制御するようにしたが、一例であってこれに限られるものではない。例えば、第１測定部７ｂが、タッチパネル６ａ上の任意の位置から開始されたユーザによるスライド操作中のスライド量を逐次測定し、第１再生制御部７ｃが、逐次測定されるスライド量に応じて可変し、表示パネル５ａに表示中の画像を他の画像に切り替えて表示する際の切り替え量を、ユーザによるスライド操作中に連続して制御するようにしても良い。
これにより、再生対象が静止画像であっても、タッチパネル６ａ上におけるスライド操作中に変化しうるスライド量を逐次測定し、複数の画像の切り替え表示制御に反映させるため、ユーザが所望する速度で連続した画像の切り替え表示を行うことができ、この結果、ユーザが所望する画像を容易に表示することができる。
【０１３０】
また、単位時間当たりのスライド量（画素数）を逐次測定することで、操作速度を逐次測定しているが、早送りの操作を優先する場合は、１単位時間内でスライド操作が終わる程度に単位時間を長くして、スライド量に表示速度が比例するように制御することで、スライド速度の測定処理の軽減を図るようにしてもよい。
すなわち、タッチパネル６ａ上のユーザによるスライド操作中は、そのスライド量に基づいて、表示パネル５ａに表示される動画像の再生速度を制御する第１の処理を行い、タッチパネル６ａ上のユーザによるスライド操作の終了後、第１の処理にて制御された再生速度を維持して、表示パネル５ａに表示中の動画像の再生を制御する第２の処理を行うようにしても良い。
【０１３１】
さらに、撮像装置１００、２００、３００、３００Ａの構成は、上記実施形態１〜３に例示したものは一例であり、これに限られるものではない。また、表示装置として、撮像装置１００、２００、３００、３００Ａを例示したが、一例であってこれに限られるものではなく、撮像機能を具備するか否かは適宜任意に変更可能である。
【０１３２】
加えて、上記実施形態１〜３にあっては、取得手段、測定手段、制御手段としての機能を、中央制御部１の制御下にて、フレームレート取得部７ａ、第１測定部７ｂ（第２測定部２０７ｂ、第３測定部３０７ｂ）、第１再生制御部７ｃ（第２再生制御部２０７ｃ、第３再生制御部３０７ｃ）が駆動することにより実現される構成としたが、これに限られるものではなく、中央制御部１のＣＰＵによって所定のプログラム等が実行されることにより実現される構成としても良い。
すなわち、プログラムメモリ（図示略）に、取得処理ルーチン、測定処理ルーチン、制御処理ルーチンを含むプログラムを記録しておく。そして、取得処理ルーチンにより中央制御部１のＣＰＵに、再生される動画像の撮像フレームレートを取得する機能を実現させるようにしても良い。また、測定処理ルーチンにより中央制御部１のＣＰＵに、タッチパネル６ａ上のユーザによる接触操作中の操作速度を逐次測定する機能を実現させるようにしても良い。また、制御処理ルーチンにより中央制御部１のＣＰＵに、取得された撮像フレームレートと、逐次測定された操作速度と、に基づいて、表示パネル５ａに表示される動画像の再生を制御する機能を実現させるようにしても良い。
【０１３３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【０１３４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザにより接触操作されるタッチパネルと、任意の撮像フレームレートで撮影された動画像を再生可能な表示手段とを備える表示装置であって、
再生される動画像の撮像フレームレートを取得する取得手段と、
前記タッチパネル上のユーザによる接触操作中の操作速度を逐次測定する測定手段と、
前記取得手段により取得された撮像フレームレートと、前記測定手段により逐次測定された操作速度と、に基づいて、前記表示手段に表示される動画像の再生を制御する制御手段と、
を備えることを特徴とする表示装置。
＜請求項２＞
前記測定手段は、前記操作速度として、前記タッチパネル上のユーザによるスライド操作における単位時間当たりのスライド量を逐次測定し、
前記制御手段は、前記スライド量に応じて動画像が送り再生される時間が一定となるように、当該動画像の送り再生を制御することを特徴とする請求項１に記載の表示装置。
＜請求項３＞
前記制御手段は、前記スライド量に応じて動画像が送り再生される時間が一定となるように、前記取得手段により取得された撮像フレームレートに応じて再生フレームレート及び間引き率のうちの少なくとも一方を変化させることを特徴とする請求項２に記載の表示装置。
＜請求項４＞
前記制御手段は、前記タッチパネル上のユーザによるスライド操作の終了後、このスライド操作が終了した時点の操作速度に応じた再生フレームレートで動画像が再生されるように当該動画像の再生を制御することを特徴とする請求項２又は３に記載の表示装置。
＜請求項５＞
前記制御手段は、前記スライド操作が終了した時点の操作速度が０の場合には、このスライド操作が終了した時点で前記表示手段に表示されている動画像を構成するフレーム画像を表示させたまま当該動画像の再生を一時停止させることを特徴とする請求項４に記載の表示装置。
＜請求項６＞
前記測定手段は、前記タッチパネル上の任意の位置におけるユーザによるスライド操作中の操作速度を逐次測定することを特徴とする請求項２〜５の何れか一項に記載の表示装置。
＜請求項７＞
前記制御手段は、動画像の表示と、この動画像を構成するフレーム画像を複数並べたフレーム画像の表示と、を独立して制御し、
前記測定手段は、前記タッチパネルの前記フレーム画像の表示に対応する部分におけるユーザによるスライド操作中の操作速度を逐次測定することを特徴とする請求項２〜５の何れか一項に記載の表示装置。
＜請求項８＞
前記測定手段は、前記タッチパネルの前記フレーム画像の表示に対応する部分におけるユーザによるスライド操作とは異なる接触操作の操作量を、更に測定し、
前記制御手段は、前記測定手段により測定されたスライド操作とは異なる接触操作の操作量に応じて可変する時間間隔に対応するフレーム画像を複数並べて表示させることを特徴とする請求項７に記載の表示装置。
＜請求項９＞
前記測定手段は、前記タッチパネル上のユーザによる円弧状のスライド操作中の操作速度を逐次測定することを特徴とする請求項２〜５の何れか一項に記載の表示装置。
＜請求項１０＞
前記タッチパネル上のユーザによるスライド操作の種類が、直線状のスライド操作であるか、円弧状のスライド操作であるかを判別する判別手段を更に備え、
前記制御手段は、前記判別手段により円弧状のスライド操作であると判別された場合は、スライド操作の軌跡から特定される円の中心を、更に識別可能に表示する制御を行うことを特徴とする請求項９に記載の表示装置。
＜請求項１１＞
再生される動画像を構成する複数のフレーム画像のうち、所定時間分のフレーム画像の復号処理を事前に行う復号手段と、
前記復号手段により復号された所定時間分のフレーム画像を格納する格納手段と、を、更に備えることを特徴とする請求項１〜１０の何れか一項に記載の表示装置。
＜請求項１２＞
前記復号手段は、更に、動画像を構成する前記複数のフレーム画像のうち、現在再生中のフレーム画像の位置を基準として、現在の再生方向及び反対方向の各々に、所定時間分のフレーム画像の復号処理を事前に行うことを特徴とする請求項１１に記載の表示装置。
＜請求項１３＞
前記復号手段は、更に、動画像の現在の再生方向に応じて、現在の再生方向及び反対方向の各々に行う所定時間分のフレーム画像の復号処理の順番を特定して、当該復号処理を事前に行うことを特徴とする請求項１２に記載の表示装置。
＜請求項１４＞
前記復号手段は、更に、動画像の現在の再生速度に応じて、現在の再生方向及び反対方向の各々に行う所定時間分のフレーム画像の復号処理の順番、或いは、当該復号処理にかける時間を特定して、当該復号処理を事前に行うことを特徴とする請求項１２に記載の表示装置。
＜請求項１５＞
ユーザにより接触操作されるタッチパネルと、表示手段とを備える表示装置であって、  前記タッチパネル上の任意の位置から開始されたユーザによるスライド操作中のスライド量を逐次測定する測定手段と、
前記測定手段により逐次測定されるスライド量に応じて可変し、前記表示手段に表示中の画像を他の画像に切り替えて表示する際の切り替え量を、ユーザによるスライド操作中に連続して制御する制御手段と、
を備えることを特徴とする表示装置。
＜請求項１６＞
前記制御手段は、更に、前記タッチパネル上のユーザによるスライド操作の終了後、このスライド操作が終了した時点の切り替え量を維持して、前記表示手段に表示中の画像を他の画像に切り替えて表示する制御を行うことを特徴とする請求項１５に記載の表示装置。
＜請求項１７＞
ユーザにより接触操作されるタッチパネルと、表示手段とを備える表示装置であって、
前記タッチパネル上のユーザによるスライド操作の加速度を逐次測定する測定手段と、
前記測定手段により逐次測定されるスライド操作の加速度に応じて可変し、前記表示手段に表示中の画像を他の画像に切り替えて表示する際の切り替え速度を、ユーザによるスライド操作中に連続して制御する制御手段と、
を備えることを特徴とする表示装置。
＜請求項１８＞
前記制御手段は、更に、前記タッチパネル上のユーザによるスライド操作の終了後、このスライド操作が終了した時点の切り替え速度を維持して、前記表示手段に表示中の画像を他の画像に切り替えて表示する制御を行うことを特徴とする請求項１７に記載の表示装置。
＜請求項１９＞
ユーザにより接触操作されるタッチパネルと、動画像を再生可能な表示手段とを備える表示装置であって、
前記タッチパネル上のユーザによるスライド操作のスライド量に基づいて、前記表示手段に表示される動画像の再生速度を制御する第１の制御手段と、
前記タッチパネル上のユーザによるスライド操作の終了後、前記第１の制御手段により制御された再生速度を維持して、前記表示手段に表示中の動画像の再生を制御する第２の制御手段と、
を備えることを特徴とする表示装置。
＜請求項２０＞
ユーザにより接触操作されるタッチパネルと、任意の撮像フレームレートで撮像された動画像を再生可能な表示手段とを備える表示装置を用いた表示方法であって、
再生される動画像の撮像フレームレートを取得する処理と、
前記タッチパネル上のユーザによる接触操作中の操作速度を逐次測定する処理と、
取得された撮像フレームレートと、逐次測定された操作速度と、に基づいて、前記表示手段に表示される動画像の再生を制御する処理と、
を含むことを特徴とする表示方法。
＜請求項２１＞
ユーザにより接触操作されるタッチパネルと、任意の撮像フレームレートで撮像された動画像を再生可能な表示手段とを備える表示装置のコンピュータに、
再生される動画像の撮像フレームレートを取得する機能と、
前記タッチパネル上のユーザによる接触操作中の操作速度を逐次測定する機能と、
取得された撮像フレームレートと、逐次測定された操作速度と、に基づいて、前記表示手段に表示される動画像の再生を制御する機能と、
を実現させることを特徴とするプログラム。
＜請求項２２＞
ユーザにより接触操作されるタッチパネルと、表示手段とを備える表示装置を用いた表示方法であって、
前記タッチパネル上の任意の位置から開始されたユーザによるスライド操作中のスライド量を逐次測定する処理と、
逐次測定されるスライド量に応じて可変し、前記表示手段に表示中の画像を他の画像に切り替えて表示する際の切り替え量を、ユーザによるスライド操作中に連続して制御する処理と、
を含むことを特徴とする表示方法。
＜請求項２３＞
ユーザにより接触操作されるタッチパネルと、表示手段とを備える表示装置を用いた表示方法であって、
前記タッチパネル上のユーザによるスライド操作の加速度を逐次測定する処理と、
逐次測定されるスライド操作の加速度に応じて可変し、前記表示手段に表示中の画像を他の画像に切り替えて表示する際の切り替え速度を、ユーザによるスライド操作中に連続して制御する処理と、
を含むことを特徴とする表示方法。
＜請求項２４＞
ユーザにより接触操作されるタッチパネルと、動画像を再生可能な表示手段とを備える表示装置を用いた表示方法であって、
前記タッチパネル上のユーザによるスライド操作のスライド量に基づいて、前記表示手段に表示される動画像の再生速度を制御する第１の処理と、
前記タッチパネル上のユーザによるスライド操作の終了後、前記第１の処理により制御された再生速度を維持して、前記表示手段に表示中の動画像の再生を制御する第２の処理と、
を含むことを特徴とする表示方法。
【符号の説明】
【０１３５】
１００、２００、３００、３００Ａ  撮像装置
１          中央制御部
２          メモリ
４          画像処理部
５、２０５  表示部
５ａ        表示パネル
２０５ａ    第１表示パネル
２０５ｂ    第２表示パネル
６、２０６  操作入力部
６ａ、２０６ａ  タッチパネル
７、２０７、３０７  動作処理部
７ａ        フレームレート取得部
７ｂ        第１測定部
２０７ｂ    第２測定部
３０７ｂ    第３測定部
７ｃ        第１再生制御部
２０７ｃ    第２再生制御部
３０７ｃ    第３再生制御部
３０７ｄ    操作判別部
【図１】
0006699589.tif 000002
【図２】
0006699589.tif 000003
【図３】
0006699589.tif 000004
【図４】
0006699589.tif 000005
【図５】
0006699589.tif 000006
【図６】
0006699589.tif 000007
【図７】
0006699589.tif 000008
【図８】
0006699589.tif 000009
【図９】
0006699589.tif 000010
【図１０】
0006699589.tif 000011
【図１１】
0006699589.tif 000012
【図１２】
0006699589.tif 000013
【図１３】
0006699589.tif 000014
【図１４】
0006699589.tif 000015
【図１５】
0006699589.tif 000016
【図１６】
0006699589.tif 000017
【図１７】
0006699589.tif 000018
【図１８】
0006699589.tif 000019